(57)【要約】【課題】ハーネス型安全帯を着用した場合であっても、冷却効果を発揮することができる高所作業用の空調服を提供する。【解決手段】通気性の小さな又は通気性のないシート状素材で身体の少なくとも上半身を覆う形状に作製され、空気排出部を有する服本体１０と、服本体１０に設けられた開口孔を覆うように取り付けられ、空気を外部から取り込んで服本体と身体又は下着との間の空間に空気の流れを強制的に生じさせるファン４とを備え、服本体１０は、背上部に形成されたフック貫通孔を開閉する開閉手段と、一方の端部が開閉手段を囲むように服本体側に取り付けられ他方の端部に空気漏れ防止手段２３が設けられ、通気性の小さな又は通気性のない折り曲げ自在な筒状のワイヤー貫通手段２とを具備する。【選択図】図１
2019173263.tif 000002
【特許請求の範囲】
【請求項１】
通気性の小さな又は通気性のないシート状素材で身体の少なくとも上半身を覆う形状に作製され、空気排出部を有する服本体と、前記服本体に設けられた開口孔を覆うように取り付けられ、空気を外部から取り込んで前記服本体と身体又は下着との間の空間に空気の流れを強制的に生じさせるファンと、を備え、
前記服本体は、
背上部に形成されたフック貫通孔を開閉する開閉手段と、
一方の端部が前記開閉手段を囲むように前記服本体に取り付けられ他方の端部に空気漏れ防止手段が設けられ、通気性の小さな又は通気性のない折り曲げ自在な筒状のワイヤー貫通手段と、
を有することを特徴とする空調服。
【請求項２】
前記服本体の背上部の裏側に前記ワイヤー貫通手段を収納するための収納部が形成されていることを特徴とする請求項１記載の空調服。
【請求項３】
前記服本体の背上部の裏側に前記ワイヤー貫通手段を折り畳んだ状態で固定する固定手段が形成されていることを特徴とする請求項１記載の空調服。
【請求項４】
前記空気漏れ防止手段は、前記ワイヤー貫通手段の前記シート状素材に接合されていない側の端部に形成された紐通し部と前記紐通し部に通されたコードとコードストッパーにより構成されたことを特徴とする請求項１から３のいずれか一項に記載の空調服。
【請求項５】
前記空気漏れ防止手段は、前記ワイヤー貫通手段の前記シート状素材に接合されていない側の端部に外側に取り付けられた面ファスナーを有する帯であることを特徴とする請求項１から３のいずれか一項に記載の空調服。
【請求項６】
前記開閉手段はファスナーであることを特徴とする請求項１から５のいずれか一項に記載の空調服。
【発明の詳細な説明】
【技術分野】
【０００１】
本発明は、身体又は身体の上に着用された下着等の表面に略平行な空気の流れを発生させることにより身体を冷却する空調服に関するものである。
【背景技術】
【０００２】
近年、身体を冷却する空調服が実用化され急激に普及しつつある。従来の空調服１０１は、通気性の小さな素材で縫製された服本体１１０と、服本体１１０の後側部の下方に取り付けられた２つのファン１４０，１４０と、２つのファン１４０，１４０に電力を供給するための電源装置（不図示）と、電源装置と２つのファン１４０，１４０とを電気的に接続するための電源ケーブル（不図示）とを備える。
【０００３】
ファン１４０を作動させると、大量の空気がファン１４０から服本体１１０内に取り込まれる。取り込まれた空気の圧力により服本体１１０と身体又は下着との間に空気流通路が自動的に形成され、取り込まれた空気は、形成された空気流通路を身体又は下着の表面に沿って上方に流通し、例えば、襟部の周囲や袖口部から外部に排出される。ここで、襟部の周囲や袖口部は、空気排出部１３０としての役割を果たしている。
そして、空気は、服本体１１０と身体又は下着との間の空気流通路を流通する間に身体から出た汗を蒸発させ、蒸発する時の気化熱により身体が冷却される（例えば、特許文献１参照）。
【０００４】
ところで、建設現場等の高所作業では転落事故の防止のため、例えば、図８（ａ）、（ｂ）に示すように、先端にフックＨＫ８１を有するワイヤーＷＲ８１が背上部に連結されたハーネス型安全帯ＨＮ８１を主に使用し、フックＨＫ８１を固定物に引っ掛けることにより、万一作業者が足を踏み外した場合でもワイヤーＷＲ８１が命綱となり、地上等への転落を防止するような安全対策が講じられている。
そして、従来は、このようなハーネス型安全帯ＨＮ８１を空調服１０１の上から着用していた。
【先行技術文献】
【特許文献】
【０００５】
【特許文献１】国際公開２００５／０６３０６５号
【発明の概要】
【発明が解決しようとする課題】
【０００６】
しかしながら、従来の空調服１０１の上からハーネス型安全帯ＨＮ８１を着用した場合、ハーネス型安全帯ＨＮ８１の帯により、空調服１０１の服地と体との間の空気流通路が塞がれてしまい冷却効果が激減してしまうといった問題点があった。
【０００７】
本発明の課題は、ハーネス型安全帯を着用した場合であっても、冷却効果を発揮することができる高所作業用の空調服を提供することにある。
【課題を解決するための手段】
【０００８】
上記課題を達成するため、この発明は、
通気性の小さな又は通気性のないシート状素材で身体の少なくとも上半身を覆う形状に作製され、空気排出部を有する服本体と、前記服本体に設けられた開口孔を覆うように取り付けられ、空気を外部から取り込んで前記服本体と身体又は下着との間の空間に空気の流れを強制的に生じさせるファンと、を備え、
前記服本体は、
背上部に形成されたフック貫通孔を開閉する開閉手段と、
一方の端部が前記開閉手段を囲むように前記服本体に取り付けられ他方の端部に空気漏れ防止手段が設けられ、通気性の小さな又は通気性のない折り曲げ自在な筒状のワイヤー貫通手段と、
を有することを特徴とする空調服である。
【０００９】
本発明の空調服の服本体には、背上部に形成されたフック貫通孔を開閉する開閉手段と、一方の端部が前記開閉手段を囲むように当該服本体の裏面に接合され他方の端部に空気漏れ防止手段が設けられ、通気性の小さな又は通気性のない折り曲げ自在な筒状のワイヤー貫通手段が備えられているので、ハーネス型安全帯を着用した上に着用した場合でも、服本体のワイヤー貫通手段を貫通したワイヤー近傍からの空気漏れがなく、空調服として十分な冷却効果を得ることができる。
また、ワイヤー貫通手段は、しなやかなシート状素材で作製されているのでハーネス型安全帯を使用しない作業時にはワイヤー貫通手段を服本体の内側に収納し、開閉手段を閉じることにより、通常の空調服として使用することができる。
【発明の効果】
【００１０】
本発明によれば、転落防止用のワイヤーが取り付けられた安全帯を着用した場合であっても、その上から空調服を着用でき、ワイヤーを通したワイヤー貫通手段からの空気の漏れを防止できるので、空調服としての冷却効果を発揮することができる。
【図面の簡単な説明】
【００１１】
【図１】本実施形態の高所作業用の空調服の概略正面図及び開閉手段を閉じた状態の概略背面図である。
【図２】本実施形態の高所作業用の空調服において開閉手段を開きワイヤー貫通手段を服地と直角に外側に引き出した状態の概略側面図及び背上部の概略拡大図である。
【図３】ワイヤー貫通手段の概略斜視図である。
【図４】ハーネス型安全帯を着用した時の概略側面図及びその上に高所作業用の空調服を着用した時の概略側面図である。
【図５】変形例の高所作業用の空調服の背面部をワイヤー貫通手段内側から見た裏面図及びＸ−Ｘ断面図である。
【図６】変形例２の高所作業用の空調服の背面部をワイヤー貫通手段内側から見た裏面図及びＸ−Ｘ断面図である。
【図７】従来の空調服の概略正面図及び概略背面図である。
【図８】従来の空調服の上からハーネス型安全帯着用した時の概略正面図及び概略背面図である。
【発明を実施するための形態】
【００１２】
（実施形態）
以下に、図面を参照して、本願に係る発明を実施するための形態について説明する。但し、発明の範囲は、図示例に限定されない。
【００１３】
本実施形態の空調服１は、図１及び図２に示すように、服本体１０と、ファン４，４と、電源装置（不図示）と、電源ケーブル（不図示）とを備える。
【００１４】
服本体１０は、通気性の小さな又は通気性のないシート状素材で、上半身及び腕部を覆う形状に作製されている。例えば、本実施形態では、服本体１０をブルゾン型の上衣の形状に作製している。服本体１０には、前身頃の第１開閉手段１１と、２つの開口孔１４，１４と、裾部の第１空気漏れ防止手段１３と、袖口や襟部に形成された空気排出部１２と、背上部に設けられた第２開閉手段１５と、ワイヤー貫通手段２が設けられている。前身頃の第１開閉手段１１は、服本体１０を着用する際に、服本体１０の前部を開閉するためのものである。ここでは、前身頃の第１開閉手段１１としてファスナーを用いている。
【００１５】
２つの開口孔１４はそれぞれ、服本体１０の所定部位、具体的には左右の腰に対応する部位に形成されている。そして、開口孔１４にファン４が取り付けられる。すなわち、開口孔１４の周囲における服本体１０の部位はファン取付部となっている。
【００１６】
裾部の第１空気漏れ防止手段１３は、服本体１０の所定の端部に設けられた、服本体１０と身体又は下着との間の空間内の空気が当該端部から外部に漏れるのを防ぐためのものである。本実施形態では、服本体１０の裾部に、例えば、ゴム紐等、伸縮性のある部材を設けている。このため、服本体１０の裾部は伸縮性のある部材により絞り込まれて身体又は下着に密着するようになる。
【００１７】
第２開閉手段１５は、図３に示すように、後身頃の背上部に設けられたフック貫通孔ＨＬ３１を開閉するためのものであり、本発明における開閉手段である。ここでは、前身頃の第１開閉手段１１と同様にファスナーを用いている。
【００１８】
ワイヤー貫通手段２は、図２及び図３に示すように一方の端部が背上部に設けられたフック貫通孔ＨＬ３１を開閉する第２開閉手段１５を囲むように服地の裏面に接合され、他方の端部に第２空気漏れ防止手段２３が設けられた通気性の小さな又は通気性のないしなやかな（折り曲げ自在な）シート状素材により筒状に作製されている。
また、ワイヤー貫通手段２の素材としては、服本体１０と同じ素材を用いてもよいし、別の素材（例えば、ビニール等）、通気性の小さな又は通気性のないしなやかな（折り曲げ自在な）素材であれば何であってもよい。
【００１９】
ワイヤー貫通手段２について、より具体的に説明する。
背上部の服地の裏面に接合される端部（内側端部ＴＭ３１）の周長は第２開閉手段１５の長さＦＬの二倍より十分に長く、他端（外側端部ＴＭ３２）の周長は内側端部ＴＭ３１の周長より短く、また内側端部ＴＭ３１から外側端部ＴＭ３２までの長さ（服地の裏面に接合される部分を除くワイヤー貫通手段２の全長）Ｌは、後述の第２空気漏れ防止手段２３を形成するのに十分な長さを有するものである。
また、例えば、内側端部ＴＭ３１の周長及び外側端部ＴＭ３２の周長は、ハーネス型安全帯ＨＮ８１の背上部にワイヤーＷＲ８１によって連結されるフックＨＫ８１が、通過可能な長さを有するものである。
【００２０】
次に、本発明の空気漏れ防止手段である、第２空気漏れ防止手段２３について説明する。
外側端部ＴＭ３２の周囲には紐２３２（或いは、コード）を通すための紐２３２の引出口を有する紐通し部２３１が形成されていて、外側端部ＴＭ３２を一周する長さよりも長い紐２３２が通してあり、引出口から外部に突き出した紐２３２の部位にはコードストッパー２３３が施され、ワイヤーに外側端部ＴＭ３２を密接できるようになっている。
【００２１】
ワイヤー貫通手段２は、しなやかなシート状素材で作製されているので、服本体１０の内部に格納し、第２開閉手段１５であるファスナーを閉じることもできるし、第２開閉手段１５を開けて、ワイヤー貫通手段２のうち服本体１０の裏面に接合されていない部分の大半を外側に引き出すこともできる。
【００２２】
続いて、ハーネス型安全帯ＨＮ４１を着用した上に本発明の空調服１を着用する手順について説明する。
【００２３】
最初に、ハーネス型安全帯ＨＮ４１を通常の手順で着用する。
そして、空調服１の背上部の第２開閉手段１５を開きワイヤー貫通手段２の外側端部を外に引き出し、空調服１の内側からワイヤー貫通手段２を介しフックＨＫ４１を外側に引き出す。
例えば、本実施形態の場合、外側端部ＴＭ３２の周長は２００ｍｍなので、幅約９０ｍｍまでのフックを通すことができる。
そして、ワイヤー貫通手段２の外側端部ＴＭ３２に形成された紐通し部２３１に通された紐２３２を、コードストッパー２３３により、ワイヤーＷＲ４１と外側端部ＴＭ３２の縁との間に空気の漏れる隙間がないように、いっぱいに引っ張りコードストッパー２３３をロックする。
最後に、ワイヤーＷＲ４１が貫通した空調服１を着用し、空調服の内部にワイヤーＷＲ４１の弛みがないようにワイヤーＷＲ４１をいっぱいに引き出す。
【００２４】
次に、空調服１の効果について説明する。
先端にフックＨＫ４１の付いたワイヤーＷＲ４１が空調服１を貫通しているのでハーネス型安全帯ＨＮ４１を着用しその上に空調服１を着用した場合でも、フックＨＫ４１をしかるべきところに引っ掛け安全を確保することができる。
【００２５】
また、第２空気漏れ防止手段２３によりワイヤー貫通手段２の外側端部ＴＭ３２とワイヤーＷＲ４１とは密着している。このため、空調服１を作動させても、当該密着部分からの空気の漏れはないので、通常の空調服と同様にファン４により服本体１０内に大量の空気が取り込まれ、自動的に形成された空気流通路を身体又は下着の表面に沿って上方に流通し、空気排出部１２から排出されるので、効率よく汗を蒸発させ体を冷却することができる。
【００２６】
なお、安全を確保する必要上、ワイヤーＷＲ４１の位置には大きなバラツキはない。しかし、使用者の体形とハーネス型安全帯ＨＮ４１の大きさ等の関係でワイヤーＷＲ４１の位置がある程度上下にばらつくものの、ワイヤー貫通手段２は上下に長く形成されているのでばらつきを吸収し使用することができる。
例えば、第２開閉手段１５の長さＦＬは、１５０ｍｍであり、ワイヤーＷＲ４１の位置のばらつきを吸収することができる。
【００２７】
また、使用者は、常にハーネス型安全帯ＨＮ４１を着用するのではなく、ハーネス型安全帯ＨＮ４１を使用しない作業（通常作業）も行うことがある。この場合のハーネス型安全帯ＨＮ４１を使用した後の状態（第２開閉手段１５が開いてワイヤー貫通手段２が外側に飛び出している）から通常作業を行う場合の使用方法について説明する。
【００２８】
先ず、外側に飛び出したワイヤー貫通手段２を背上部にある開かれた第２開閉手段１５の開口部から服本体１０の内側に押し込み第２開閉手段１５を閉じる。これによりワイヤー貫通手段２は空調服１の内部に収納され通常の空調服として使用することができる。
【００２９】
（変形例）
実施形態の空調服１を通常作業用に使用する場合では、服本体１０の内部に収納されたワイヤー貫通手段２が身体又は下着と、空調服１の服地との間の当該空気流通路をふさぎ冷却能力が部分的に劣化することがある。
変形例では、図５に示すように背上部の裏側には第２開閉手段１５に沿ったワイヤー貫通手段２を収納するための扁平な袋状の収納部１６が形成され、しなやかなシート状素材を用いて作製されたワイヤー貫通手段２をたたんで扁平にして収納できるようになっている。
【００３０】
上記のように構成されているため、ワイヤー貫通手段２を収納部１６に収納し、第２開閉手段１５を閉じることにより、通常の空調服とほとんど同様な状態になり、収納されたワイヤー貫通手段２により当該部位の空気の流通が阻害されることはなく、通常の空調服と同等の冷却効果を実現することができる。
【００３１】
（変形例２）
変形例２では、図６に示すように背上部の裏側には第２開閉手段１５に沿ったワイヤー貫通手段２を、小さく折り畳んで固定するための固定手段１７が形成され、しなやかなシート状素材を用いて作製されたワイヤー貫通手段２を何回か折り畳んで小さくして、固定できるようになっている。例えば、固定手段１７は、面ファスナーやボタン等の着脱が容易な部材を用いるとよい。
【００３２】
上記のように構成されているため、ワイヤー貫通手段２を小さく折り畳んで固定手段１７で固定し、第２開閉手段１５を閉じることにより、通常の空調服とほとんど同様な状態になり、収納されたワイヤー貫通手段２により当該部位の空気の流通が阻害されることはなく、通常の空調服と同等の冷却効果を実現することができる。
【００３３】
なお、本発明は上記の実施形態、変形例に限定されるものではなく、その要旨の範囲内において種々の変形が可能である。
【００３４】
また、本実施形態、またその変形例では、ハーネス型安全帯ＨＮ４１を使用する場合について説明したが、ハーネス型安全帯ＨＮ４１に限らず、背上部にワイヤーが接続された落下防止装置であればどのような落下防止装置にでも使用することができる。
【００３５】
また、本実施形態、またその変形例では、開閉手段１５としてファスナーを使用した場合について説明したが、第２開閉手段１５はファスナーに限らず、面ファスナーやボタン等一般的な手段を使用することもできる。
【００３６】
また、本実施形態、またその変形例では、第２空気漏れ防止手段２３とし外側端部ＴＭ３２に紐通し部２３１を形成し紐２３２とコードストッパー２３３を用いる場合について説明したが第２空気漏れ防止手段２３はこれに限定したものでなく、例えば、外側端部ＴＭ３２の外側に帯と面ファスナーを取り付けてワイヤーＷＲ４１との間の隙間をなくす等、一般的な各種方法を使用することができる。
【００３７】
また、本実施形態、またその変形例では、ワイヤー貫通手段２を服本体１０の内部に収納させていたが、ワイヤー貫通手段２は着脱可能であってもよい。
この場合、不使用時に、ワイヤー貫通手段２を服本体１０から、取り除くことにより、ワイヤー貫通手段２が邪魔になることがなく、第２開閉手段１５を閉じることにより、通常の空調服と同様な状態になり、空気の流通が阻害されることはなく通常の空調服と同等の冷却効果を実現することができる。
【００３８】
更に、上記の実施形態では、服本体１０をブルゾン型の上衣の形状に作製した場合について説明したが、服本体は、例えばつづき服の形状等、下半身も覆う形状に作製することができる。この場合には裾部の空気漏れ防止手段１３は必ずしも必要でなく、裾部の空気漏れ防止手段１３を設けない場合にはファン４により導入された空気は下半身にも流通し、足元の裾口から排出される。
【００３９】
以上説明したように、本発明に係る空調服では、転落防止用のワイヤーが取り付けられた安全帯を着用した上に着用する空調服として用いるのに好適である。
【符号の説明】
【００４０】
１  空調服
１０  服本体
１１  第１開閉手段
１２  空気排出部
１３  第１空気漏れ防止手段
１４  開口孔
１５  第２開閉手段（開閉手段）
１６  収納部
１７  固定手段
２  ワイヤー貫通手段
２３  第２空気漏れ防止手段（空気漏れ防止手段）
２３１  紐通し部
２３２  紐（コード）
２３３  コードストッパー
４  ファン
１０１  空調服
１１０  服本体
１３０  空気排出部
１４０  ファン
ＨＬ３１  フック貫通孔
ＴＭ３１  内側端部
ＴＭ３２  外側端部
ＨＮ４１、ＨＮ８１  ハーネス型安全帯
ＷＲ４１、ＷＲ８１  ワイヤー
ＨＫ４１、ＨＫ８１  フック
【図１】
2019173263.tif 000003
【図２】
2019173263.tif 000004
【図３】
2019173263.tif 000005
【図４】
2019173263.tif 000006
【図５】
2019173263.tif 000007
【図６】
2019173263.tif 000008
【図７】
2019173263.tif 000009
【図８】
2019173263.tif 000010